(57)【要約】【課題】本発明は、放電ランプが正常か異常かを検査し、回路の電気抵抗が小さい放電ランプ駆動装置を提供する。【解決手段】発明に係る放電ランプ駆動装置は複数の放電ランプを駆動する。前記放電ランプ駆動装置は、入力した直流信号を交流信号へ変換する駆動スイッチ回路と、前記駆動スイッチ回路に連結されて、前記交流信号を前記複数の放電ランプを駆動する他の交流信号へ変換するトランスフォーマー回路（Ｔｒａｎｓｆｏｒｍｅｒ  Ｃｉｒｃｕｉｔ）と、前記トランスフォーマー回路に連結されて、前記複数の放電ランプの異常状態を検査し、電圧検出信号を出力し、且つそれぞれ前記複数の放電ランプに連結されて、放電ランプに加える電圧を分圧する複数の分圧回路と逆方向充電回路で構成される電圧検出回路と、を含み；前記複数の分圧回路は、前記逆方向充電回路に連結され、且つ前記逆方向充電回路を介して充電し、分圧された電圧の直流レベルを高める。【選択図】図４
2007299750.tif 000002
【特許請求の範囲】
【請求項１】
複数の放電ランプを駆動する放電ランプ駆動装置において、
入力した直流信号を交流信号へ変換する駆動スイッチ回路と、
前記駆動スイッチ回路に連結されて、前記交流信号を前記複数の放電ランプを駆動する他の交流信号へ変換するトランスフォーマー回路（Ｔｒａｎｓｆｏｒｍｅｒ  Ｃｉｒｃｕｉｔ）と、
前記トランスフォーマー回路に連結されて、前記複数の放電ランプの異常状態を検出し、電圧検出信号を出力し、且つ、それぞれ前記複数の放電ランプに連結されて、放電ランプに加える電圧を分圧する複数の分圧回路と逆方向充電回路とを具備する電圧検出回路と、を含み、
前記複数の分圧回路は、前記逆方向充電回路に連結され、且つ前記逆方向充電回路を介して充電し、分圧された電圧の直流レベルを高めることを特徴とする放電ランプ駆動装置。
【請求項２】
各々の前記分圧回路は、
第一分圧キャパシターと、
前記第一分圧キャパシターと一緒に、対応する放電ランプと地面の間に直列連結され、前記放電ランプに加える電圧を分圧する第二分圧キャパシターと、
陰極が前記第一分圧キャパシターと第二分圧キャパシターの間に連結され、陽極が接地されて、分圧された電圧信号の直流レベルを調整する第一ダイオードと、
を含むことを特徴とする請求項１に記載の放電ランプ駆動装置。
【請求項３】
前記逆方向充電回路は、複数のトランジスタ（Ｔｒａｎｓｉｓｔｏｒ）を含み、
各々の前記トランジスタは、ベース（Ｂａｓｅ）と、エミッター（Ｅｍｉｔｔｅｒ）と、コレクター（Ｃｏｌｌｅｃｔｏｒ）と、を具備し、
前記ベースは対応する分圧回路の第一ダイオードの陰極に連結され、前記コレクターは電源に連結されていることを特徴とする請求項２に記載の放電ランプ駆動装置。
【請求項４】
前記逆方向充電回路は、
前記トランジスタのベースとエミッターの間に連結されて、トランジスタに逆方向の電流が流れさせ、所定の電圧を維持するクランピング回路（Ｃｌａｍｐｉｎｇ  Ｃｉｒｃｕｉｔｓ）を更に含むことを特徴とする請求項３に記載の放電ランプ駆動装置。
【請求項５】
各々の前記クランピング回路は、
陽極が対応する前記トランジスタのベースに連結されるランピングダイオードと、
陰極が前記ランピングダイオードの陰極に連結され、陽極がトランジスタのエミッターに連結される第二ダイオードと、
を含むことを特徴とする請求項４に記載の放電ランプ駆動装置。
【請求項６】
前記放電ランプ駆動装置は、
前記電圧検出回路と駆動スイッチ回路の間に連結されて、前記電圧検出信号が正常か異常かを判断し、保護信号を出力する保護回路を更に含むことを特徴とする請求項３に記載の放電ランプ駆動装置。
【請求項７】
前記保護回路は、
参照電圧に連結される陽極入力端（Ｐｏｓｉｔｉｖｅ  Ｉｎｐｕｔ）と、前記トランジスタのエミッターに連結される陰極入力端（Ｎｅｇａｔｉｖｅ  Ｉｎｐｕｔ）を備えるコンパレーター（Ｃｏｍｐａｔａｔｏｒ）を含むことを特徴とする請求項６に記載の放電ランプ駆動装置。
【請求項８】
前記保護回路は、
陰極が前記コンパレーターの陰極入力端に連結され、陽極が前記トランジスタのエミッターに連結される第三ダイオードと、
前記コンパレーターの陰極入力端と地面の間に連結される電気抵抗と、
前記電気抵抗と並列連結されるキャパシターと、
を含むことを特徴とする請求項７に記載の放電ランプ駆動装置。
【請求項９】
前記駆動スイッチ回路で出力する交流信号は、方形波信号（Ｓｑｕａｒｅ−Ｗａｖｅ  Ｓｉｇｎａｌ）であることを特徴とする請求項１に記載の放電ランプ駆動装置。
【請求項１０】
前記トランスフォーマー回路で出力する交流信号は、正弦波信号（Ｓｉｎｅ−Ｗａｖｅ  Ｓｉｇｎａｌ）であることを特徴とする請求項１に記載の放電ランプ駆動装置。
【請求項１１】
入力した複数の交流信号が正常であるか異常であるかを検出する電圧検出回路において、
入力した前記交流信号の電圧を分圧する複数の分圧回路と、
逆方向充電回路と、を含み、
前記複数の分圧回路は、前記逆方向充電回路に連結され、且つ前記逆方向充電回路を介して充電し、分圧された電圧の直流レベルを高めることを特徴とする電圧検出回路。
【請求項１２】
各々の前記分圧回路は、
第一分圧キャパシターと、
前記第一分圧キャパシターと一緒に、対応する前記放電ランプと地面の間に直列連結されて、入力した前記交流信号の電圧を分圧する第二分圧キャパシターと、
陰極が前記第一分圧キャパシターと第二分圧キャパシターの間に連結され、陽極が接地されて、分圧された電圧信号の直流レベルを調整する第一ダイオードと、
を含むことを特徴とする請求項１１に記載の電圧検出回路。
【請求項１３】
前記逆方向充電回路は、複数のトランジスタを含み、
各々の前記トランジスタは、ベースと、エミッターと、コレクターとを具備し、
前記ベースは対応する分圧回路の第一ダイオードの陰極に連結され、前記コレクターは電源に連結されていることを特徴とする請求項１２に記載の電圧検出回路。
【請求項１４】
前記逆方向充電回路は、
前記トランジスタのベースとエミッターの間に連結されて、トランジスタに逆方向の電流を流して、所定の電圧を維持するクランピング回路を更に含むことを特徴とする請求項１３に記載の電圧検出回路。
【請求項１５】
各々の前記クランピング回路は、
陽極が対応するトランジスタのベースに連結されるランピングダイオードと、
陰極が前記ランピングダイオードの陰極に連結され、陽極がトランジスタのエミッターに連結される第二ダイオードと、
を含むことを特徴とする請求項１４に記載の電圧検出回路。
【請求項１６】
複数の放電ランプを駆動する放電ランプ駆動装置において、
入力した直流信号を交流信号へ変換する駆動スイッチ回路と、
前記駆動スイッチ回路に連結されて、前記交流信号を前記複数の放電ランプを駆動する他の交流信号へ変換するトランスフォーマー回路と、
何れか１つ又は多数のランプに異常状態が発生した時、放電ランプの電圧検出信号の直流レベルを変化し、電圧検出信号を出力する電圧検出回路と、
前記トランスフォーマー回路と駆動スイッチ回路の間に連結されて、前記電圧検出信号が正常か異常かを判断し、放電ランプを保護するための保護信号を出力する保護回路と、
を含むことを特徴とする放電ランプ駆動装置。
【請求項１７】
前記放電ランプの電圧検出信号の直流レベルの変化は、
１つ又は多数の放電ランプに異常が発生した時、放電ランプの間に生じる位相差と電圧差によって発生されることを特徴とする請求項１６に記載の放電ランプ駆動装置。
【発明の詳細な説明】
【技術分野】
【０００１】
本発明は放電ランプ駆動装置に係わり、特に液晶表示装置（Ｌｉｑｕｉｄ  Ｃｒｙｓｔａｌ  Ｄｉｓｐｌａｙ；ＬＣＤ）のバックライト（Ｂａｃｋｌｉｇｈｔ）に用いる放電ランプ駆動装置に関するものである。
【背景技術】
【０００２】
放電ランプ（Ｄｉｓｃｈａｒｇｅ  Ｌａｍｐ）、特に冷陰極蛍光ランプ（Ｃｏｌｄ  Ｃａｔｈｏｄｅ  Ｆｌｕｏｒｅｓｃｅｎｔ  Ｌａｍｐｓ；ＣＣＦＬｓ）は、液晶表示装置のバックライトの光源として広く用いられている。冷陰極蛍光ランプは、通常インバーター回路（Ｉｎｖｅｒｔｅｒ  Ｃｉｒｃｕｉｔ）で駆動して、放電ランプに交流信号が入力されるようにする。前記インバーター回路で出力された交流信号の電圧があまり高いと、放電ランプが破損され、インバーター回路で出力された交流信号の電圧があまり低いと、放電ランプを駆動することができない。だから、インバーター回路に、電圧検出回路と保護回路を設ける必要がある。
【０００３】
図１は、従来技術に係る放電ランプ駆動装置１０の機能モジュール図である。前記放電ランプ駆動装置１０は、駆動スイッチ回路１００と、トランスフォーマー回路（Ｔｒａｎｓｆｏｒｍｅｒ  Ｃｉｒｃｕｉｔ）１１０と、保護回路１２０と、電圧検出回路１３０と、を含む。前記電圧検出回路１３０は、前記トランスフォーマー回路１１０がランプ群１４０に入力した交流信号を、キャパシター（Ｃａｐａｃｉｔｏｒ）Ｃ１、Ｃ２、Ｃ３を介して電圧信号へ変換し、この電圧信号を半波整流回路Ｄ１を介して半波整流する。この後、半波整流される過電圧信号を、直接的に前記保護回路１２０に入力する。しかし、上述した回路は、過電圧の保護を実施することができない。
【０００４】
図２は、従来技術に係る他の放電ランプ駆動装置１０の機能モジュール図である。図２に示した放電ランプ１０’の電圧検出回路１３０’は、図１に示した放電ランプ１０の電圧検出回路１３０と異なる。図２の電圧検出回路１３０’は、前記トランスフォーマー回路１１０がランプ群１４０に入力した交流信号を、キャパシターＣ１、Ｃ２、Ｃ３を介して電圧信号へ変換し、この電圧信号を半波整流回路Ｄ１を介して半波整流する。この後、２つのダイオードＤ１、Ｄ２によって分離される弱電圧信号Ｖｕｖｐと過電圧信号Ｖｏｖｐを前記保護回路１２０に入力する。しかし、上述した回路の電気抵抗が高く、易く外部の干渉を受ける問題がある。
【発明の開示】
【発明が解決しようとする課題】
【０００５】
以上の問題点に鑑みて、本発明は、放電ランプが正常か異常かを検査し、回路の電気抵抗が小さい放電ランプ駆動装置を提供することを目的とする。
【０００６】
又、本発明は、入力した交流信号が正常か異常かを検査し、回路の電気抵抗が小さい電圧検出回路を提供することを目的とする。
【課題を解決するための手段】
【０００７】
複数の放電ランプを駆動する放電ランプ駆動装置は、入力した直流信号を交流信号へ変換する駆動スイッチ回路と、前記駆動スイッチ回路に連結されて、前記交流信号を前記複数の放電ランプを駆動する他の交流信号へ変換するトランスフォーマー回路（Ｔｒａｎｓｆｏｒｍｅｒ  Ｃｉｒｃｕｉｔ）と、前記トランスフォーマー回路に連結されて、前記複数の放電ランプの異常状態を検査し、電圧検出信号を出力し、且つそれぞれ前記複数の放電ランプに連結されて、放電ランプに加える電圧を分圧する複数の分圧回路と逆方向充電回路で構成される電圧検出回路と、を含み、前記複数の分圧回路は、前記逆方向充電回路に連結され、且つ前記逆方向充電回路を介して充電し、分圧された電圧の直流レベルを高める。
【０００８】
入力した複数の交流信号が正常か異常かを検出する電圧検出回路は、入力した前記交流信号の電圧を分圧する複数の分圧回路と、逆方向充電回路と、を含み、前記複数の分圧回路は、前記逆方向充電回路に連結され、且つ前記逆方向充電回路を介して充電し、分圧された電圧の直流レベルを高める。
【発明の効果】
【０００９】
本発明に係る放電ランプ駆動装置で、前記分圧回路は逆方向充電回路を介して充電するから、分圧された電圧の直流レベルを高め、放電ランプの異常状態を正確に検出することができる。又、回路の電気抵抗が小さく、易く外部の干渉を受けない利点がある。
【発明を実施するための最良の形態】
【００１０】
以下図面に基づいて、本発明の実施形態に係る放電ランプ駆動装置に対して詳細に説明する。
【００１１】
図３は、本発明の最良の実施形態に係る放電ランプ駆動装置２０の機能モジュール図である。前記放電ランプ駆動装置２０は、複数の放電ランプを含むランプ群２４０を駆動する。前記放電ランプ駆動装置２０は、駆動スイッチ回路２００と、トランスフォーマー回路（Ｔｒａｎｓｆｏｒｍｅｒ  Ｃｉｒｃｕｉｔ）２１０と、保護回路２２０と、電圧検出回路２３０と、を含む。
【００１２】
前記駆動スイッチ回路２００は、入力した直流信号を交流信号へ変換し、変換された交流信号を出力する。これで、前記駆動スイッチ回路２００が出力する交流信号は、方形波信号（Ｓｑｕａｒｅ−Ｗａｖｅ  Ｓｉｇｎａｌ）である。
【００１３】
前記トランスフォーマー回路２１０は、前記駆動スイッチ回路２００に連結されて、駆動スイッチ回路２００で出力する交流信号を他の交流信号へ変換した後、変換された他の交流信号を前記ランプ群２４０に入力して、ランプ群２４０を駆動する。これで、前記トランスフォーマー回路２１０が変換した交流信号は、正弦波信号（Ｓｉｎｅ−Ｗａｖｅ  Ｓｉｇｎａｌ）である。
【００１４】
前記電圧検出回路２３０は、前記トランスフォーマー回路２１０に連結されて、前記ランプ群２４０に加える電圧を検出し、放電ランプごとに発生する異常状態を検出する。例えば、過電圧、不足電圧、回路のショートのような異常状態を検出し、１つの電圧検出信号を入力する。
【００１５】
前記保護回路２２０は、前記電圧検出回路２３０と駆動スイッチ回路２００の間に連結されて、前記電圧検出回路２３０で出力する電圧検出信号が正常か異常かを判断し、１つの保護信号を入力する。この保護信号は、前記駆動スイッチ回路２００で出力する交流信号を制御する。
【００１６】
図３に示したように、前記電圧検出回路２３０は、複数の分圧回路２３ｎ（ｎ＝１、２、３…、ｎ）と１つの逆方向充電回路２３０１を含む。前記複数の分圧回路２３ｎ（ｎ＝１、２、３…、ｎ）は、それぞれ対応する前記ランプ群２４０の放電ランプに連結されて、放電ランプに加える電圧を分圧する。且つ、前記電圧検出回路２３０は、前記逆方向充電回路２３０１に連結されて、分圧された電圧信号を逆方向充電回路２３０１に入力する。ランプ群２４０で、何れか１つの放電ランプに異常状態が発生した時、前記複数の分圧回路２３ｎ（ｎ＝１、２、３…、ｎ）は逆方向充電回路２３０１によって互いに充電される。従って、分圧された電圧信号の直流レベル（ＤＣ  Ｌｅｖｅｌ）を高めることができる。
【００１７】
図４は、図３に示した保護回路２２０、電圧検出回路２３０、ランプ群２４０の具体的な回路構造構造図である。前記ランプ群２４０は、複数の放電ランプＬｎ（ｎ＝１、２、３…、ｎ）を含み、前記電圧検出回路２３０は、複数の分圧回路２３ｎ（ｎ＝１、２、３…、ｎ）を含む。各々の前記分圧回路２３ｎは、２つの分圧キャパシター（Ｃａｐａｃｉｔｏｒ）と１つのダイオードで構成される。
【００１８】
前記分圧キャパシターは、前記放電ランプと地面の間に直列に連結されている。前記ダイオードの陽極は接地され、陰極は直列に連結された前記分圧キャパシターの間に連結されて、分圧された電圧信号の直流レベルを制御する。例えば、分圧回路２３１で、分圧キャパシターＣＨ１、ＣＬ１は放電ランプと地面の間に直列に連結され、ダイオードＤＳ１の陽極は接地され、陰極は分圧キャパシターＣＨ１とＣＬ１の間に連結されている。分圧回路２３ｎと分圧回路２３１の具体的な回路構造は同じであるから、ここで再度説明しない。
【００１９】
前記逆方向充電回路２３０１は、ベース（Ｂａｓｅ）と、エミッター（Ｅｍｉｔｔｅｒ）と、コレクター（Ｃｏｌｌｅｃｔｏｒ）で構成される複数のトランジスタ（Ｔｒａｎｓｉｓｔｏｒ）Ｑｎ（ｎ＝１、２、３…、ｎ）を含む。前記トランジスタＱｎ（ｎ＝１、２、３…、ｎ）のベースは、それぞれ前記ダイオードＤＳｎ（ｎ＝１、２、３…、ｎ）の陰極に連結され、前記コレクターは電源Ｖｃｃに連結されている。例えば、トランジスタＱ１のベースは、ダイオードＤＳ１の陰極に連結され、コレクターは電源Ｖｃｃに連結されている。
【００２０】
前記保護回路２２０は、コンパレーター（Ｃｏｍｐａｔａｔｏｒ）Ａ１と、ダイオードＤと、電気抵抗Ｒと、キャパシターＣ１と、を含む。前記コンパレーターＡ１は、第一接続ピンと、第二接続ピンと、陽極入力端（Ｐｏｓｉｔｉｖｅ  Ｉｎｐｕｔ）と、陰極入力端（Ｎｅｇａｔｉｖｅ  Ｉｎｐｕｔ）と、出力端Ｖｏｕｔと、を具備する。
【００２１】
前記第一接続ピンは電源Ｖｃｃに連結され、第二接続ピンは接地されている。前記陽極入力端は参照電圧（Ｒｅｆｅｒｅｎｃｅ Ｖｏｌｔａｇｅ）Ｖｒｅｆに連結され、前記陰極入力端はダイオードＤの陰極に連結されている。前記ダイオードＤの陽極は、前記トランジスタＱｎ（ｎ＝１、２、３…、ｎ）のエミッターに連結されている。前記電気抵抗Ｒは、前記コンパレーターＡ１の陰極入力端と地面の間に連結されている。前記キャパシターＣ１は、前記電気抵抗Ｒと並列に連結されるように、前記コンパレーターＡ１の陰極入力端と地面の間に連結されている。
【００２２】
本実施形態で、放電ランプＬ１とＬ２、分圧回路２３１と２３ｎ、トランジスタＱ１とＱｎ、保護回路２２０のみで、全体の電圧検出回路２３の作動原理を説明する。これで、前記分圧回路２３１のダイオードＤＳ１の陰極をジョイント（Ｊｏｉｎｔ）Ａと言い、前記分圧回路２３ｎのダイオードＤＳｎの陰極をジョイントＢと言い、前記保護回路２２０のダイオードＤの陰極をジョイントＣと言う。
【００２３】
前記放電ランプＬ１とＬｎが全部正常である時、ジョイントＡとジョイントＢの電圧が同じであるから、前記保護回路２２０のダイオードＤはジョイントＡ又はジョイントＢの電圧を検出する。この後、前記コンパレーターＡ１を介して、検出した電圧と参照電圧Ｖｒｅｆを比べる。
【００２４】
もし何れかの放電ランプＬｎに、例えば放電ランプＬ１に異常が発生した時、放電ランプＬ１の電気抵抗が変化するばかりでなく、前記ジョイントＡの電圧信号の位相が変化するので、ジョイントＡとジョイントＢの電圧が異なる電圧になる。もし、前記ジョイントＡの電圧がジョイントＢの電圧より高いと、ジョイントＡの電圧が前記トランジスタＱ１とＱｎによって、前記分圧回路２３ｎのキャパシターＣＬｎに逆方向へ充電される。すると、ジョイントＢの電圧信号の直流レベルを高めることができる。もし、前記ジョイントＢの電圧がジョイントＡの電圧より低いと、ジョイントＢの電圧が前記トランジスタＱ１とＱｎによって、前記分圧回路２３１のキャパシターＣＬ１に逆方向へ充電される。すると、ジョイントＡの電圧信号の直流レベルを高めることができる。
【００２５】
分圧回路２３１の逆方向の充電は、ジーナーダイオード（Ｚｅｎｅｒ  Ｄｉｏｄｅ、又は定電圧ダイオードと言う）の原理を利用する。即ち、前記トランジスタのエミッターとベースに比較的高い電圧を加える時、逆方向の電流が流れ始まり、電圧が下がり、且つ下がった電圧を維持する、例えば７Ｖに下がり、且つ前記７Ｖを維持する。前記トランジスタに順方向へ電流が流れる時、ベースとエミッターの間の電圧がおよそ０.７Ｖがさがる。だから、ジョイントＡ又はＢの電圧がジョイントＢ又はＡの電圧より７.７Ｖ以上高くなければ、逆方向の電流が流れることができなく、従って、分圧回路２３１と２３ｎが互いに充電されることができない。
【００２６】
即ち、分圧回路が互いに充電される条件は、何れか２つの分圧回路の２つのダイオードで出力される電圧差が、トランジスタのベースとエミッターに順方向へ電流が流れさせる電圧に、トランジスタのエミッターとベース間のブレークダウン電圧を加えたものより高いことである。
【００２７】
前記保護回路２２０のダイオードＤは、随時にジョイントＡとジョイントＢの最大電圧を検出し、キャパシターＣ１を介して検出した電圧を一定な固定値に維持し、且つ安定された電圧をコンパレーターＡ１の陰極入力端に加える。前記コンパレーターＡ１は、安定された電圧と参照電圧Ｖｅｒｆを比べる。もし、安定された電圧が参照電圧Ｖｅｒｆより低いと、コンパレーターＡ１は信号を出力しない。もし、安定された電圧が参照電圧Ｖｅｒｆより高いと、コンパレーターＡ１は保護信号を出力する。この時、電気抵抗ＲとキャパシターＣは、放電回路を構成する。
【００２８】
図５は、図３に示した保護回路２２０、電圧検出回路２３０’、ランプ群２４０の他の形態の具体的な回路構造図である。図５の回路構造と図４の回路構造がほとんど似ている。異なるところは、図５の逆方向充電回路２３０１’は、トランジスタのベースとエミッターの間に連結される複数のクランピング回路（Ｃｌａｍｐｉｎｇ  Ｃｉｒｃｕｉｔｓ）をさらに含むことである。各々の前記クランピング回路は、クランピングダイオードとダイオードを含む。例えば、トランジスタＱ１のベースとエミッターの間に連結されるクランピング回路は、クランピングダイオードＺＤ１とダイオードＤ１を含む。これで、前記クランピングダイオードＺＤ１の陽極はトランジスタＱ１のベースに連結され、陰極はダイオードＤ１の陰極に連結され、ダイオードＤ１の陽極はトランジスタＱ１のエミッターに連結されている。
【００２９】
図５で、トランジスタＱｎ（ｎ＝１、２、３…、ｎ）のベースとエミッターの間に連結されるクランピング回路は、上述したトランジスタＱ１のベースとエミッターの間に連結されるクランピング回路と同じであるから、再度説明しない。本実施形態で、前記クランピングダイオードＺＤｎ（ｎ＝１、２、３…、ｎ）は、ジーナーダイオードである。
【００３０】
本実施形態で、何れか１つの放電ランプに異常状態が発生した時、分圧回路で出力する電圧差が逆方向の電流を流れさせる７.７Ｖに到達することができないから、前記電圧検出回路２３０’は前記放電ランプの異常状態を正確に検出することができない。だから、クランピング回路を利用して、前記トランジスタＱｎ（ｎ＝１、２、３…、ｎ）に逆方向の電流が流れさせ、所定の電圧を維持させる。所定の電圧は、７.７Ｖより低くてもよい。例えば３.７Ｖに規定して、逆方向の電流が易く流れさせるようにする。前記電圧検出回路２３０’の分圧回路２３ｎ（ｎ＝１、２、３…、ｎ）は、トランジスタを介さずに、クランピング回路を介して充電する。
【図面の簡単な説明】
【００３１】
【図１】従来技術に係る放電ランプ駆動装置の機能モジュール図である。
【図２】従来技術に係る他の放電ランプ駆動装置の機能モジュール図である。
【図３】本発明の最良の実施形態に係る放電ランプ駆動装置の機能モジュール図である。
【図４】図３に示した保護回路、電圧検出回路、ランプ群の具体的な回路構造図である。
【図５】図３に示した保護回路、電圧検出回路、ランプ群の他の形態の具体的な回路構造図である。
【符号の説明】
【００３２】
２０  放電ランプ駆動装置
２００  駆動スイッチ回路
２１０  トランスフォーマー回路
２２０  保護回路
２３０  電圧検出回路
２３０’電圧検出回路
２３０１  逆方向充電回路
２３０１’  逆方向充電回路
２３１  分圧回路
ＣＨｎ（ｎ＝１、２、３…、ｎ）  キャパシター
ＣＬｎ（ｎ＝１、２、３…、ｎ）  キャパシター
Ｃ１  キャパシター
ＤＳｎ（ｎ＝１、２、３…、ｎ）  ダイオード
ＺＤｎ（ｎ＝１、２、３…、ｎ）  ダイオード
Ｄｎ（ｎ＝１、２、３…、ｎ）  ダイオード
Ｄ  ダイオード
Ｒ  電気抵抗
Ｑｎ（ｎ＝１、２、３…、ｎ）  トランジスタ
Ａ１  コンパレーター
Ｖｒｅｆ  参照電圧
２４０  ランプ群
Ｌ（ｎ＝１、２、３…、ｎ）  放電ランプ
【図１】
2007299750.tif 000003
【図２】
2007299750.tif 000004
【図３】
2007299750.tif 000005
【図４】
2007299750.tif 000006
【図５】
2007299750.tif 000007